(57)【特許請求の範囲】
【請求項１】
給気口から流入した外気が通過する処理室と、該処理室の下部に設けられ所定量の水を貯水可能とした貯水部と、この貯水部に下部を水没させた筒状の回転体と、この回転体の外周に位置し、該回転体と共に回転しこの回転による遠心力で飛散される水及び空気が通過可能な円筒状の多孔体とを備えたものに於いて、前記多孔体の外周には間隔を置いて、回転体の上方から流入する外気を多孔体の外周に案内する楕円形状の空気案内筒を設け、更にこの空気案内筒の外壁には防振ゴムからなる消音手段を施した事を特徴とするマイナスイオン及びナノミスト発生装置。
【発明の詳細な説明】
【技術分野】
【０００１】
この発明は、マイナスイオンとナノミストとを同時に発生させるマイナスイオン及びナノミスト発生装置に関するものである。
【背景技術】
【０００２】
従来よりこの種のものでは、多孔体の外周には網目状のスクリーンが設けられ、ミストがここにぶつかることにより、消音効果及びミストが更に砕けることによるマイナスイオンの発生効率を高めると言う効果を有するものであった。（例えば、特許文献１参照。）
【特許文献１】特許第３６７１２０２号公報
【発明の開示】
【発明が解決しようとする課題】
【０００３】
ところでこの従来のものでは、多孔体の外周に飛ばされた水滴が外壁にぶつかり、このぶつかった時の音が騒音となって装置外に出てくることにより、大きな音となって響き使用感が悪くなり長期の使用に耐えられるものではなかった。
【課題を解決するための手段】
【０００４】
この発明は上記課題を解決するために、特にその構成を、給気口から流入した外気が通過する処理室と、該処理室の下部に設けられ所定量の水を貯水可能とした貯水部と、この貯水部に下部を水没させた筒状の回転体と、この回転体の外周に位置し、該回転体と共に回転しこの回転による遠心力で飛散される水及び空気が通過可能な円筒状の多孔体とを備えたものに於いて、前記多孔体の外周には間隔を置いて、回転体の上方から流入する外気を多孔体の外周に案内する楕円形状の空気案内筒を設け、更にこの空気案内筒の外壁には防振ゴムからなる消音手段を施したものである。
【発明の効果】
【０００６】
この発明によれば、多孔体の外周に飛ばされた水滴がぶつかる空気案内筒の外壁に消音手段を施したので、空気案内筒にぶつかって飛散する水滴には影響を与えることなく、水滴が、円筒状の多孔体と楕円形状の空気案内筒による流路の圧力差による乱流で、空気案内筒にぶつかった時の音のみを消音することが出来るので、騒音として装置外へ出て響くことがなく、使用勝手も良く長期の使用にも耐えられるものであり、しかもナノミストやマイナスイオンの生成には何ら影響を与えないので、従来通りナノミストとマイナスイオンがいっぱいの良好な雰囲気を形成することが出来るものであり、更に前記消音手段は、空気案内筒の外壁に貼り付けられた防振ゴムで構成することで、極めて容易に消音手段を施すことが出来、難しい加工や高価な部品を追加する必要がなく、安価でありながら大きな効果を得ることが出来るものである。
【０００８】
又マイナスイオンには、疲労回復効果、精神安定効果、血液の浄化効果、抵抗力の増進効果、自律神経調整効果等があり、更にナノミストには、空気中やカーテンや衣服等の繊維の隙間など、隅々まで行き渡り汚れた空気や細菌を抑制し、臭いまでも分解するもので、脱臭効果、除塵効果、除菌効果、勿論加湿効果があるものであり、この加湿はベトツキがないサラサラで潤いのある空気で、毛穴からの浸透でお肌と髪の潤いを保つ効果を有するものであり、これらの効果が得られるマイナスイオンとナノミストを大量に放出されると言うことは、これらの効果も増大するものである。
【０００９】
一方本装置の貯水部に加熱用ヒータを投入して、本装置を低温サウナのエンジンとして使用した場合には、サウナ室の使用室温３８〜４０℃、相対湿度９０％以上で使用することで、サウナ室と言う限られたスペース内ではマイナスイオン及びナノミストの上記の作用効果が顕著に現れるものであり、しかも水分子付加マイナスイオン分子群が直接肌等に作用して汗腺を開くことにより、発汗が容易になり、又肺から吸引されたマイナスイオンは血液中に入り、その還元作用で血液の酸化を阻止し血液サラサラ状態とすると共に、その循環を良くし、末梢血管まで血液を行き渡らせることにより、痛みや懲りを緩和することが出来るものと考えられる。
【発明を実施するための最良の形態】
【００１０】
次にこの発明のマイナスイオン及びナノミスト発生装置を低温ミストサウナのエンジン（主要部品）として使用した一実施形態を図面に基づいて説明する。
１は低温サウナ室２のベンチ３下に備えられたナノミスト及びマイナスイオン発生装置で、サウナ室２内の上部まで延びた吸引ダクト４を介して該サウナ室２内の空気を吸引し、塵や細菌を除去した後に、昇温したナノミスト及びマイナスイオンをベンチ３下方に形成した放出口５からサウナ室２に供給して、順次これを繰り返すことでサウナ室２を使用室温３８〜４０℃、相対湿度９０％以上の低温サウナの使用雰囲気とするものである。
【００１１】
６は自動給水弁７を備えた給水管８からの給水を一定量貯水する貯水部で、水面下で底部近傍には単相２００Ｖ、２ＫＷで平面視Ｍ字状に水平に取り付けられて逆Ｕ字部９を３箇所有した加熱ヒータ１０を備え、貯水を４６℃〜４８℃に加熱するものであり、一側壁にはオーバーフロー管１１及び自動排水弁１２を設けた排水管１３を連通し、サウナ中は常に一定水位を維持しながら終了時には全て排水する。
【００１２】
１４は前記貯水部６内を処理室１５と分離室１６の２室に仕切る仕切壁で、下端を分離室１６側を屈曲し水面との間の連通路１７を水面近傍まで下げることにより、処理室１５から分離室１６へ向かう空気中の大粒のミストを水面にぶつけて落下させる気液分離器の役目も果たすようにしている。
【００１３】
前記処理室１５には、貯水部６の蓋体１８に固定された回転用モータ１９の支軸２０に連結され、下部を水没させ上方に向かって径が拡大した擂り鉢状の回転体２１が、加熱ヒータ１０の給水管８から一番離れた方の逆Ｕ字部９中に垂下して設けられ、この回転体２１は前記回転用モータ１９による駆動で回転し、その遠心力で加熱されたばかりの温水を表面及びむしろ裏面に沿って吸い上げ、上端に形成した複数の細孔２２から周囲に飛散させるものである。
【００１４】
更に分離室１６には、仕切壁１４の下端を分離室１６下方に向かって傾斜屈曲させた第１の邪魔板２３と、この仕切壁１４と対向する側壁に、下方に向かって傾斜して取り付けた第２の邪魔板２４とで交互に突出させて、中央部に下部の連通路１７から上部の放出口５に向かう蛇行路２５が形成されているものである。
【００１５】
２６は前記回転体２１の外周に所定間隔を保持して位置し、該回転体２１と共に回転する円筒状の多孔体で、この回転による遠心力で水及び空気を飛散させ、そして全周壁に形成した多数のスリットや金網やパンチングメタル等から成る多孔部２７を、通過させたり、ぶつけて破砕させることで、水の粒子を微細化してナノミストを生成すると共に、この水の粒子の微細化によるレナード効果でマイナスイオンを発生させるものである。
【００１６】
２８は前記多孔体２６を覆った楕円形状の空気案内筒で、円筒状の多孔体２６との間には一対の大流通路２９、２９と一対の小流通路３０、３０とが形成されるように、処理室１５の上方を塞ぐ中蓋３１に設けられており、分離室１６の上部で該分離室１６と放出口５とを連通する位置に備えられたクロスフローファンから成る送風機３２の駆動で、吸引ダクト４を介し蓋体１８と中蓋３１との間の給気口３３から吸引されたサウナ室２内の空気を、回転体２１の上方から空気案内筒２８内に流入させることで、水の粒子の破砕回数を増やすと共に、空気のマイナス帯電も増加させ結果としてナノミスト及びマイナスイオンを大量に発生させることが出来るものであり、例えばマイナスイオンではサウナ室２の中央部中間位置で７０００個／ＣＣを検出した。
【００１７】
３４は前記空気案内筒２８の外壁に施された消音手段を構成する防振ゴムで、１ｍｍ〜３ｍｍの厚さで外壁全週に貼り付けられたものであり、多孔体２６を通過した水滴が空気案内筒２８の内壁にぶつかって飛散するが、この水滴がぶつかった時の音は、薄い鋼板製の空気案内筒２８では高い音となるが、これを外壁に防振ゴム３４を貼ることで、厚さを増し弾力性のあるもので保護することにより、低音でこもった音に変化させることが出来、しかも実際に水滴がぶつかる空気案内筒２８の内壁には何らの影響を与えることなく、安価であり容易に消音を施すことが出来るものである。
【００１８】
３５は貯水部６の底部に備えられたフロート式の水位センサで、貯水部６の水位が加熱ヒータ１０が水面上に露呈しない所定水位に低下すると、自動給水弁７を開口して一定水位まで給水して、サウナ運転中は常に貯水部６を一定水位に保持するものである。
【００１９】
３６は貯水部６の下部外壁で所定水位に設けられた貯水温度センサで、貯水温度が４６℃で加熱ヒータ１０をＯＮし、４８℃でＯＦＦして所定温度に保持する。
３７は同じく貯水部６の下部外壁で所定水位に設けられた加熱防止センサで、貯水部６が異常加熱状態になった時、全駆動を停止して安全を確保するものである。
【００２０】
３８はサウナ室２の換気用の換気扇、３９はサウナ室２への出入り用のドアで、覗き窓４０が上方に設けられている。
【００２１】
次にこの一実施形態の作動について説明する。
今サウナ室２の近傍に備えられる操作部（図示せず）の運転スイッチ（図示せず）をＯＮすることで、サウナ運転が開始され先ず自動給水弁７が開口して給水管８から空状態の貯水部６に水が供給され、一定水位まで貯水（６Ｌ）されれば、水位センサ３５が検知して自動給水弁７がＯＦＦされて給水が終了されるが、以後サウナ運転が終了するまで、水位センサ３５による自動補水が行われる。
【００２２】
そして、加熱ヒータ１０がＯＮされて貯水部６内の貯水の加温が開始し、貯水がある程度温度上昇した３０℃に達することで、回転用モータ１９及び送風機３２が駆動開始して、回転体２１は処理室１５内で回転することで、水没している下端の表面及び裏面の方がむしろ多く温水が遠心力で、その面に沿って上昇し、上端の複数の細孔２２から外周に向かって飛散され、一部は同時に回転している多孔体２６にぶつかって水の粒子が破砕し、又他の一部は空気と共に多孔部２４を通り抜けて、多孔体２６外周の空気案内筒２８の内壁にぶつかって同じく水の粒子が破砕されることで、ナノミスト及び大粒ミストを含むミストが生成されると共に、この粒子の破砕により空気がマイナスに帯電してマイナスイオンが発生する。
【００２３】
又空気案内筒２８の内壁に水滴がぶつかることで、ぶつかり音が発生するが、空気案内筒２８の外壁には消音手段としての防振ゴム３４が貼り付けられているから、水滴の内壁へのぶつかり音は低音でこもった音となるものである。又貯水部６内の温水もある程度攪拌されて全体の温度を均一にする効果もある。
【００２４】
一方送風機３２の駆動で給気口３３からは、吸引ダクト４を介してサウナ室２内の空気が流入し、回転中の回転体２１上方から空気案内筒２８に案内されて処理室１５内へと流れるが、この時、円筒状の多孔体２６と楕円形状の空気案内筒２８との間には、一対の大流通路２９、２９と一対の小流通路３０、３０が形成されており、ここを空気が流通することで、ベルヌーイの定理より圧力差が生じて圧力が高い大流通路２９、２９側から圧力が低い小流通路３０、３０側への空気の流れが発生して乱流となり、大粒のミストは容易に落下して微細なナノミストだけが存在することとなり、又マイナスに帯電した水粒子に多くの空気が接触することで、マイナスイオンも大量に得ることが出来、しかもこの時、空気中に含まれている塵や細菌がナノミスト以上のミストに囲まれて水中に落下し、そのまま水中に止まることで、空気清浄も同時に行われるもので、この空気清浄も空気の乱流になって良好に行われるものである。
【００２５】
更に温水のミスト化で温度上昇しマイナスイオンも含む空気は、仕切壁１４の下の連通路１７を通過する下向きの流れで、大粒ミストは自重で水中に落下すると共に、続く分離室１６を上昇する過程で残ったナノミスト以上のミストは、先ず仕切壁１４の下端の第１の邪魔板２３にぶつかり大粒ミストに成長して落下し、次に蛇行路２５を流通しながらも落下し、第２の邪魔板２４にもぶつかって最後の大粒ミストに成長して落下し、再び蛇行路２５を流通して、最終的には送風機３２を通って放出口５からサウナ室２内に放出されるものである。
【００２６】
これによって、大粒ミストの放出が確実に阻止され超微細のナノミストとマイナスに帯電した空気によるマイナスイオンのみが、放出口から放出されることとなり、床や壁が塗れる心配がなく安心して使用出来ると共に、ナノミストとマイナスイオンがいっぱいの良好な雰囲気を形成することが出来るものである。
【００２７】
又空気案内筒２８に消音手段として防振ゴム３４を設けたことで、水滴の空気案内筒２８の内壁へのぶつかり音が低音でこもった音になったことにより、装置外まで漏れ出ることがなくなり、騒音となって響くこと自体が防止され、使用勝手も良く長期の使用にも耐えられるものであり、しかも空気案内筒２８の内壁は何ら変わらないので、水滴の内壁へのぶつかりによるナノミストやマイナスイオンの生成は今まで通り良好に行われるものである。
【００２８】
更にこれが低温サウナであれば、サウナ室２内を循環方式で徐々に昇温して３０分で室温３８℃〜４０℃、ナノミストで相対湿度９０％以上のマイナスイオンいっぱいの低温サウナ使用雰囲気とし、２０分以上の入浴が可能で、水分子付加マイナスイオン分子群が直接肌等に作用して汗腺を開くことにより、発汗が容易になり大量の汗をかき体内の老廃物を排出出来るものであり、又肺から吸引されたマイナスイオンは血液中に入り、その還元作用で血液の酸化を阻止し血液サラサラ状態とすると共に、その循環を良くし、末梢血管まで血液を行き渡らせることにより、痛みや懲りを緩和することが出来るものと考えられる。
【００２９】
又マイナスイオンにより、疲労回復効果、精神安定効果、血液の浄化効果、抵抗力の増進効果、自律神経調整効果等があり、更にナノミストによって、空気中の隅々まで行き渡り汚れた空気や細菌を抑制し、臭いまでも分解するもので、脱臭効果、除塵効果、除菌効果、勿論加湿効果があるものであり、この加湿はベトツキがないサラサラで潤いのある空気で、毛穴からの浸透でお肌と髪の潤いを保つ効果を有するものであり、これらの効果が得られるマイナスイオンとナノミストを大量に放出されると言うことは、これらの効果も増大するものである。
【００３０】
次にサウナ運転終了による運転スイッチのＯＦＦで、給水管８の自動給水弁７を閉口状態とし、加熱ヒータ１０をＯＦＦとすると共に、回転用モータ１９及び送風機３２を駆動停止し、自動排水弁１２を開口して排水管１３から貯水部６内の残水を全て排水してサウナ運転は終了するものである。
【００３１】
このように、加熱ヒータ１０の逆Ｕ字部９で加熱され温度上昇した温水は、回転体２１の下部が水没している上部に流れるので、回転体２１の回転による遠心力で直ぐにこの温水が吸い上げられ、多孔体２６にぶつけられて破砕によりナノミストが生成され、又この破砕で通過する空気がマイナスに帯電されることで同時にマイナスイオンも生成されるものであり、ある程度加熱ヒータ１０による水が加熱された段階の早いうちから、ナノミスト及びマイナスイオンを発生させ、これをサウナ室２に供給して待ち時間少なく、短時間にサウナ室２をサウナ使用可能状態にすることが出来、極めて使用勝手が良くいつでも低温サウナを楽しむことが出来るものである。
【００３２】
更に加熱ヒータ１０の逆Ｕ字部９が３箇所あることで、回転体２１の取り付け位置の自由度があり、３箇所のどこに取り付けても同様の効果が得られるが、ただ給水部分から離れれば離れる程冷水の影響を受けず良い効果は得られるものである。
【図面の簡単な説明】
【００３３】
【図１】この発明の一実施形態のミストサウナの概略構成図。
【図２】同マイナスイオン及びナノミスト発生装置の横断面図。
【図３】同マイナスイオン及びナノミスト発生装置の縦断面図。
【図４】同要部の平面図。
【符号の説明】
【００３４】
１  マイナスイオン及びナノミスト発生装置
２  低温サウナ室
６  貯水部
１４  仕切壁
１５  処理室
１６  分離室
２１  回転体
２６  多孔体
２８  空気案内筒
３２  送風機
３３  給気口
３４  防振ゴム（消音手段）
【図１】
0005149079.tif 000002
【図２】
0005149079.tif 000003
【図３】
0005149079.tif 000004
【図４】
0005149079.tif 000005